(57)【要約】      （修正有）【課題】ケーブル長さの変更が容易で、ケーブルの固定が緩むことを防止できるプラグ及びこのプラグが設けられたケーブルを提供する。【解決手段】プラグ１は、同軸ケーブルが挿入される挿入孔２０ａが形成され、挿入孔２０ａに挿入される同軸ケーブルを保持するハウジング２０と、ハウジング２０に設けられ、同軸ケーブルと接続される電極部１０とを備え、ハウジング２０は、挿入孔２０ａに連通するネジ穴２０ｂが少なくとも２つ形成され、少なくとも２つのネジ穴２０ｂに挿入されるネジ３１を挿入孔２０ａ方向に締め込み、挿入孔２０ａに挿入される同軸ケーブルを保持するものである。【選択図】図１
0003154676.tif 000002
【実用新案登録請求の範囲】
【請求項１】
ケーブルが挿入される挿入孔が形成され、該挿入孔に挿入されるケーブルを保持するハウジングと、
該ハウジングに設けられ、前記ケーブルと接続される電極部と、
を備え、
前記ハウジングは、前記挿入孔に連通するネジ穴が少なくとも２つ形成され、
少なくとも２つの前記ネジ穴に挿入されるネジを前記挿入孔方向に締め込み、前記挿入孔に挿入される前記ケーブルを保持することを特徴とするプラグ。
【請求項２】
前記ケーブルは同軸ケーブルであり、
前記電極部は、
前記同軸ケーブルの芯線と接続される第１電極部と、
前記同軸ケーブルのシールド線と接続される第２電極部と、
を備え、
少なくとも２つの前記ネジ穴に挿入されるネジを前記挿入孔方向に締め込み、前記挿入孔に挿入される前記ケーブルを保持した状態では、
前記ネジは、前記同軸ケーブルの被覆を貫通して前記シールド線と接触し、
前記ネジ及び前記ハウジングを介して、前記第２電極部と前記シールド線とが接続されることを特徴とする請求項１に記載のプラグ。
【請求項３】
請求項１又は請求項２に記載のプラグが先端部に設けられたことを特徴とするケーブル。
【考案の詳細な説明】
【技術分野】
【０００１】
本考案は、例えば同軸ケーブル等のケーブル先端部に設けられるプラグ、及びこのプラグが設けられたケーブルに関する。
【背景技術】
【０００２】
エレキギター等の電子楽器とアンプやエフェクター等の音響装置とを接続する場合や、音響装置どうしを接続する場合、電子楽器と音響装置との間や音響装置間はケーブルによって接続される。そして、電子楽器や音響装置とケーブルとの接続は、電子楽器や音響装置に設けられたジャックへ、ケーブルの先端部に設けられたプラグを挿入されることにより行われる。
このようなプラグとケーブルとを接続する方法としては、はんだ付けやネジ止め等による接続が知られている。ネジ止めによりプラグとケーブルとを接続するものとしては、例えば「ケーブル２２の中心導体がスピア２６上に接続されると、本体１４へネジ止めされる位置決めネジ３２はネジ回され、ケーブル絶縁部４０へ圧力をかけ、そのアース部へ電気的に接触する。この位置決めネジ３２はまたケーブル２２を装置１０へ固定している。」（例えば特許文献１参照）というものが提案されている。
【先行技術文献】
【特許文献】
【０００３】
【特許文献１】特開２００９−１７０３９３号公報（段落００３５、図３）
【考案の概要】
【考案が解決しようとする課題】
【０００４】
電子楽器等を演奏する演奏会場には、種々の大きさのものが存在する。このため、音響装置の設置位置や、音響装置と電子楽器との距離等は、演奏会場毎に異なったものとなる。つまり、電子楽器と音響装置との間や音響装置間を接続するケーブルは、種々の長さのものが必要となってくる。しかしながら、プラグとケーブルとをはんだ付けにより接続する場合、ケーブル長さを調整する度にはんだ付け作業が必要となり、ケーブル長さを容易に変更できないという問題点があった。
【０００５】
一方、プラグとケーブルとをネジ止めで接続することにより、ケーブル長さの変更は容易となる。しかしながら、従来は、１本のネジでプラグとケーブルとを接続していたため、以下のような問題点があった。
ケーブルは弾性変形するため、１本のネジによる押圧力ではケーブルを保持するには不十分であり、ケーブルを繰り返して使用するうちに、ケーブルの固定が緩んでしまう。
このため、プラグやケーブルに張力がかかると、プラグからケーブルが抜けてしまうという問題点があった。また、同軸ケーブルを用いる場合、ネジとシールド線（アース部）とが接触不良となり、音質の劣化等を生じてしまうという問題点があった。
【０００６】
本考案は上述のような課題を解決するためになされたものであり、ケーブル長さの変更が容易で、ケーブルの固定が緩むことを防止できるプラグ及びこのプラグが設けられたケーブルを得ることを目的とする。
【課題を解決するための手段】
【０００７】
本考案に係るプラグは、ケーブルが挿入される挿入孔が形成され、該挿入孔に挿入されるケーブルを保持するハウジングと、該ハウジングに設けられ、前記ケーブルと接続される電極部と、を備え、前記ハウジングは、前記挿入孔に連通するネジ穴が少なくとも２つ形成され、少なくとも２つの前記ネジ穴に挿入されるネジを前記挿入孔方向に締め込み、前記挿入孔に挿入される前記ケーブルを保持するものである。
【０００８】
また、本考案に係るプラグは、前記ケーブルは同軸ケーブルであり、前記電極部は、前記同軸ケーブルの芯線と接続される第１電極部と、前記同軸ケーブルのシールド線と接続される第２電極部と、を備え、少なくとも２つの前記ネジ穴に挿入されるネジを前記挿入孔方向に締め込み、前記挿入孔に挿入される前記ケーブルを保持した状態では、前記ネジは、前記同軸ケーブルの被膜を貫通して前記シールド線と接触し、前記ネジ及び前記ハウジングを介して、前記第２電極部と前記シールド線とが接続されるものである。
【０００９】
また、本校案に係るケーブルは、上記のプラグが先端部に設けられたものである。
【考案の効果】
【００１０】
本考案に係るプラグはケーブルをネジ止めで接続するため、ケーブル長さを容易に変更することができる。また、本考案に係るプラグは少なくとも２つのネジによってケーブルを保持するので、ケーブルを十分に押圧でき、ケーブルの固定が緩むことを防止できる。このため、プラグやケーブルに張力がかかった場合等でも、プラグからケーブルが抜けてしまうことを防止できる。
【００１１】
また、同軸ケーブルに接続するプラグとしてこのプラグを用いる場合、ケーブルの固定が緩むことを防止できるため、ネジとシールド線とが接触不良になることを防止できる。このとき、少なくとも２つのネジによってケーブルを保持するので、ネジとシールド線との接触面積が従来のプラグよりも増加する。このため、プラグとシールド線との間の接触抵抗が従来のプラグよりも低下し、シールド効果が向上する。また、シールド効果が向上するため、信号の導通が良くなる。したがって、音質の劣化を防止することができる。
【図面の簡単な説明】
【００１２】
【図１】本考案の一実施の形態に係るプラグの一部断面模式図である。
【図２】図１のＡ−Ａ断面図である。
【図３】本考案の一実施の形態に係るプラグの同軸ケーブル接続状態を示す要部拡大図である。
【図４】本考案の一実施の形態に係るプラグの別の一例を示す外観図である。
【考案を実施するための形態】
【００１３】
以下、本考案に係るプラグの一例として、同軸ケーブルの先端部に設けられるプラグについて説明する。このプラグ及び同軸ケーブルは、例えば、エレキギター等の電子楽器とアンプやエフェクター等の音響装置とを接続するものである。
【００１４】
（プラグの構成）
図１は、本考案の一実施の形態に係るプラグの一部断面模式図である。また、図２は、図１のＡ−Ａ断面図である。なお、図２は、ネジ３１がネジ穴２０ｂに挿入されていない状態を示している。
図１及び図２に示すプラグ１は、Ｌ型のプラグであり、電極部１０及びハウジング２０等から構成されている。
【００１５】
電極部１０は、略円筒形状をした２極型の電極部であって、第１電極部１１と第２電極部１２を備えている。導電性部材で形成された第２電極部１２は、同軸ケーブル５０のシールド線５３と接続される電極部であり、略円筒形状をしている。この第２電極部１２の一方の端部には、同軸ケーブル５０の芯線５１と接続される第１電極部１１が設けられている。また、第１電極部１１は第２電極部１２の内部を貫通し、第１電極部１１の電極端子１１ａは、第２電極部１２の他方の端部側から、ハウジング２０方向へ突設されている。第１電極部１１は導電性部材で形成されており、第１電極部１１と第２電極部１２とは絶縁部材１３によって絶縁されている。
【００１６】
電極部１０とハウジング２０とをＬ型に接続するため、第２電極部１２の電極端子１１ａが設けられた側の端部に、第２ハウジング１４が設けられている。より詳しくは、第２ハウジング１４は、略円筒形状をした導電性部材であり、その軸方向に沿って孔１４ｂが形成されている。この孔１４ｂの外周側には、ハウジング２０の挿入孔２０ａに挿入される凸部１４ｃが形成されている。また、凸部１４ｃの内周側（孔１４ｂ）には、絶縁部材で形成されたカラー２３が設けられている。カラー２３は、第１電極部１１の電極端子１１ａを保持するように設けられており、電極端子１１ａが第２ハウジング１４及びハウジング２０と接触することを防止している。
【００１７】
また、第２ハウジング１４の側面部には、第２電極部１２が挿入される孔１４ａが、孔１４ｂに貫通するように形成されている。孔１４ａ及び凸部１４ｃは、孔１４ａの中心軸と凸部１４ｃの中心軸とのなす角度が９０度よりも大きくなるように、第２ハウジング１４に形成されている。つまり、本実施の形態に係るプラグ１は、電極部１０の中心軸とハウジング２０の中心軸とのなす角度が９０度よりも大きくなるように形成されている。これにより、エレキギター等のジャックへプラグ１を挿入する際、ハウジング２０がギターと接触してプラグ１が挿入不足となることを防止している。
なお、第２ハウジング１４は、後述のハウジング２０と一体形成されていてもよい。
【００１８】
ハウジング２０は、略円筒形状をした導電性部材であり、その軸方向に沿って挿入孔２０ａが貫通して形成されている。この挿入孔２０ａの一方の端部側には、上述のように、第２ハウジング１４の凸部１４ｃも挿入されている。また、挿入孔２０ａの他方の端部側には、同軸ケーブル５０が挿入される。また、ハウジング２０の側面部には、複数のネジ穴２０ｂが、挿入孔２０ａに貫通するように形成されている。
図２に示すように、本実施の形態では、挿入孔２０ａと略直交するように２つのネジ穴２０ｂが形成されている。また、各ネジ穴２０ｂの中心軸がなす角度θは、略１２０度となっている。
【００１９】
（同軸ケーブルの取り付け状態）
このように構成されたプラグ１へ同軸ケーブル５０を取り付けると、図３のようになる。
【００２０】
図３は、本考案の一実施の形態に係るプラグの同軸ケーブル接続状態を示す要部拡大図である。
プラグ１に挿入される同軸ケーブル５０は、例えば、中心部に設けられた芯線５１（信号線）、芯線５１の外周部を覆う絶縁部材５２、絶縁部材５２の外周部に例えば網目状に巻かれたシールド線５３、及びシールド線５３の外周部を覆う被膜５４、を備えるものである。
このような同軸ケーブル５０をプラグ１のハウジング２０に形成された挿入孔２０ａに挿入すると、同軸ケーブル５０の芯線５１と第１電極部１１の電極端子１１ａとが接触する。これにより、同軸ケーブル５０の芯線５１と第１電極部１１とが電気的に接続される。
【００２１】
また、ハウジング２０の各ネジ穴２０ｂに挿入されたネジ３１を挿入孔２０ａ方向に締め込むことにより、同軸ケーブル５０がハウジング２０内に保持される。このとき、ネジ３１の先端部が同軸ケーブル５０の被膜５４を貫通し、ネジ３１と同軸ケーブル５０のシールド線５３とが接触した状態となる。これにより、ネジ３１、ハウジング２０及び第２ハウジング１４を介して、同軸ケーブル５０のシールド線５３と第２電極部１２とが電気的に接続される。
【００２２】
以上、このように構成されたプラグ１においては、ネジ３１を締め込むことにより、同軸ケーブル５０を保持することができる。このため、同軸ケーブル５０の長さを変更する際も、同軸ケーブル５０の長さを容易に変更することができる。また、プラグ１は、２つのネジ３１を締め込むことにより同軸ケーブル５０を保持する。このため、１つのネジによって同軸ケーブル５０を保持する従来のプラグと比較して、プラグ１は同軸ケーブルを十分に押圧でき、同軸ケーブル５０の固定が緩むことを防止できる。したがって、プラグ１や同軸ケーブル５０に張力が係った場合等でも、プラグ１から同軸ケーブル５０が抜けてしまうことを防止できる。
【００２３】
また、プラグ１は、同軸ケーブル５０の固定（つまり同軸ケーブル５０とネジ３１の間）が緩むことを防止できるため、ネジ３１と同軸ケーブル５０のシールド線５３とが接触不良になることを防止できる。このとき、少なくとも２つのネジ３１によって同軸ケーブル５０を保持するので、ネジ３１とシールド線５３との接触面積が従来のプラグよりも増加する。このため、ネジ３１とシールド線５３との間の接触抵抗が従来のプラグよりも低下し、シールド効果が向上する。また、シールド効果が向上するため、第１電極部１１から入力される信号の導通が良くなる。したがって、音質の劣化を防止することができる。
【００２４】
なお、本実施の形態ではＬ型のプラグ１を用いて本考案を説明したが、例えば図４に示すようなプラグ２に本考案を実施することも勿論可能である。図４に示すプラグ２は、第２ハウジング１４を介さずに電極部１０とハウジング２０とを同軸上に設けた、いわゆるストレート型のプラグである。
【００２５】
また、ネジ３１（ネジ穴２０ｂに同じ）の位置及び数等は、本実施の形態に限定されるものではない。
【００２６】
例えば、本実施の形態では、各ネジ３１の中心軸がなす角度θを略１２０度とし、ハウジング２０に形成された挿入孔２０ａの内周面に同軸ケーブル５０の側面部を押圧するようにして、同軸ケーブル５０を保持している。これに限らず、各ネジ３１の中心軸がなす角度θを１２０度以外の角度（例えば９０度）とし、ハウジング２０に形成された挿入孔２０ａの内周面に同軸ケーブル５０の側面部を押圧するようにして、同軸ケーブル５０を保持してもよい。また例えば、各ネジ３１の中心軸がなす角度θを略１８０度とし、各ネジ３１で同軸ケーブル５０を挟持するようにして、同軸ケーブル５０を保持してもよい。
【００２７】
また例えば、本実施の形態では、２つのネジ３１は、ハウジング２０の軸方向における位置（ハウジング２０の端部からの距離）が同じになっている。これに限らず、２つのネジ３１は、ハウジング２０の軸方向における位置をずらして設けられてもよい。
【００２８】
また例えば、本実施の形態では２つのネジ３１によって同軸ケーブル５０を保持しているが、２つ以上のネジ３１（例えば３つ）で同軸ケーブル５０を保持してもよい。本実施の形態では、ネジ締めの作業工程を低減するため、最低限の数である２つのネジ３１で同軸ケーブル５０を保持している。
【００２９】
また、本実施の形態では、エレキギター等の電子楽器の接続に用いられるプラグ及び同軸ケーブルについて説明したが、プラグやケーブルの種類は任意である。例えば、多芯ケーブルの先端部に設けられるプラグに本考案を実施してもよい。つまり、少なくとも２つのネジによってケーブルを保持するように、プラグを構成すればよい。
【符号の説明】
【００３０】
１  プラグ、２  プラグ、１０  電極部、１１  第１電極部、１１ａ  電極端子、１２  第２電極部、１３  絶縁部材、１４  第２ハウジング、１４ａ  孔、１４ｂ  孔、１４ｃ  凸部、２０  ハウジング、２０ａ  挿入孔、２０ｂ  ネジ穴、２３  カラー、３１  ネジ、５０  同軸ケーブル、５１  芯線、５２  絶縁部材、５３  シールド線、５４  被膜。
【図１】
0003154676.tif 000003
【図２】
0003154676.tif 000004
【図３】
0003154676.tif 000005
【図４】
0003154676.tif 000006